(57)【要約】【課題】電源の供給が停止されていた時間を直接的に計測するための手段を備えることなく、電源の供給が停止された時間の長さに応じた処理を実行できる、制御装置を提供すること。【解決手段】エネルギシステムの制御装置では、予め定められたタイミングで、不揮発性メモリに日時情報を格納する。電源の供給が停止された後に再開されると、制御装置は、リモコンを通して、日時の設定を受け付ける。その後、制御装置は、設定された日時と、不揮発性メモリに格納されている日時情報と、電源供給の再開から日時の設定までの経過時間とを用いて、電源供給が停止されていた期間の推定値を算出する。制御装置は、当該推定値において予め定められた条件が成立すると、暗証番号の入力を要求する。【選択図】図９
2017180947.tif 000002
【特許請求の範囲】
【請求項１】
エネルギシステムを制御するための制御装置であって、
電源を供給されることによって実行される計時動作を基に日時情報を生成する制御部と、
情報を記憶する記憶部と、
情報の入力を受け付ける操作部とを備え、
前記制御部は、
所定のタイミングで、前記日時情報の少なくとも一部を前記記憶部に記憶し、
電源供給が停止した後に当該電源供給が再開した場合に、計時動作を再開し、
前記操作部における日時の設定を受け付け、
前記記憶部に記憶された日時情報と、設定された前記日時と、電源供給の再開から日時の設定の受け付けまでに経過した時間とに基づいて、電源供給が停止していた時間を算出するように構成されている、制御装置。
【請求項２】
前記所定のタイミングは、生成される前記日時情報において日付が変更されるタイミングを含む、請求項１に記載の制御装置。
【請求項３】
前記制御部は、さらに、電源供給が停止していた時間が予め定められた時間以上であるか否かに基づいて、実行する処理の内容を決定するように構成されている、請求項１または請求項２に記載の制御装置。
【請求項４】
前記制御部は、電源供給が停止していた時間が予め定められた時間以上である場合にパスワードの入力を要求し、予め定められたパスワードが入力されたことに応じて前記操作部に入力された情報に基づいて前記エネルギシステムを制御するように構成されている、請求項３に記載の制御装置。
【請求項５】
前記エネルギシステムは、燃料電池を含む、請求項１〜請求項４のいずれか１項に記載の制御装置。
【請求項６】
エネルギシステムを制御するための制御装置の制御方法であって、
電源を供給されることによって実行される計時動作を基に日時情報を生成するステップと、
所定のタイミングで、前記日時情報の少なくとも一部を、情報を記憶する記憶部に記憶するステップと、
電源供給が停止した後に当該電源供給が再開した場合に、計時動作を再開するステップと、
操作部における日時の設定を受け付けるステップと、
前記記憶部に記憶された日時情報と、設定された前記日時と、電源供給の再開から日時の設定の受け付けまでに経過した時間とに基づいて、電源供給が停止していた時間を計測するステップとを備える、制御装置の制御方法。
【請求項７】
エネルギ生成要素と、当該エネルギ生成要素を制御するための制御装置とを備えるエネルギシステムであって、
前記制御装置は、
電源を供給されることによって実行される計時動作を基に日時情報を生成する制御部と、
情報を記憶する記憶部と、
情報の入力を受け付ける操作部とを含み、
前記制御部は、
所定のタイミングで、前記日時情報の少なくとも一部を前記記憶部に記憶し、
電源供給が停止した後に当該電源供給が再開した場合に、計時動作を再開し、
前記操作部における日時の設定を受け付け、
前記記憶部に記憶された日時情報と、設定された前記日時と、電源供給の再開から日時の設定の受け付けまでに経過した時間とに基づいて、電源供給が停止していた時間を計測するように構成されている、エネルギシステム。
【発明の詳細な説明】
【技術分野】
【０００１】
この発明は、制御装置およびその制御方法、ならびに、エネルギシステムに関し、より特定的には、電源の供給が停止された時間に応じた制御を実行する制御装置およびその制御方法、ならびに、そのような制御装置を含むエネルギシステムに関する。
【背景技術】
【０００２】
従来、電気温水器の制御装置において、予め定められた時間以上電源の供給が停止されたという事態が発生した場合、当該事態に応じた制御を実行するものがあった。たとえば、特開平０５−２１５４００号公報（特許文献１）に記載された制御装置は、停電時間を計測するための手段を備える。
【先行技術文献】
【特許文献】
【０００３】
【特許文献１】特開平０５−２１５４００号公報
【発明の概要】
【発明が解決しようとする課題】
【０００４】
電気温水器等のエネルギシステムの制御装置は、停電時間の長さに応じた処理を実行する場合がある。コストの低減を考慮した場合、電気温水器の制御装置は、備える構成要素をより少なくしながら、従来と同様の態様で処理を実現することが望まれる。このことから、制御装置は、特許文献１の制御装置が備えるような、停電期間中に停電時間を直接的に計測する手段（たとえば、リアルタイムクロック）を備えることなく、停電時間の長さに応じた処理を実行することが好ましい。
【０００５】
本開示は、かかる実情に鑑み考え出されたものであり、その目的は、電源の供給が停止されていた時間を直接的に計測するための手段を備えることなく、電源の供給が停止された時間の長さに応じた処理を実行できる、制御装置を提供することである。
【課題を解決するための手段】
【０００６】
本開示のある局面に従うと、エネルギシステムを制御するための制御装置が提供される。制御装置は、電源を供給されることによって実行される計時動作を基に日時情報を生成する制御部と、情報を記憶する記憶部と、情報の入力を受け付ける操作部とを備え、制御部は、所定のタイミングで、日時情報の少なくとも一部を記憶部に記憶し、電源供給が停止した後に当該電源供給が再開した場合に、計時動作を再開し、操作部における日時の設定を受け付け、記憶部に記憶された日時情報と、設定された日時と、電源供給の再開から日時の設定の受け付けまでに経過した時間とに基づいて、電源供給が停止していた時間を算出するように構成されている。
【０００７】
さらに好ましくは、所定のタイミングは、生成される日時情報において日付が変更されるタイミングを含む。
【０００８】
好ましくは、制御部は、さらに、電源供給が停止していた時間が予め定められた時間以上であるか否かに基づいて、実行する処理の内容を決定するように構成されている。
【０００９】
さらに好ましくは、制御部は、電源供給が停止していた時間が予め定められた時間以上である場合にパスワードの入力を要求し、予め定められたパスワードが入力されたことに応じて操作部に入力された情報に基づいてエネルギシステムを制御するように構成されている。
【００１０】
好ましくは、エネルギシステムは、燃料電池を含む。
本開示の他の局面に従うと、エネルギシステムを制御するための制御装置の制御方法が提供される。制御方法は、電源を供給されることによって実行される計時動作を基に日時情報を生成するステップと、所定のタイミングで、日時情報の少なくとも一部を、情報を記憶する記憶部に記憶するステップと、電源供給が停止した後に当該電源供給が再開した場合に、計時動作を再開するステップと、操作部における日時の設定を受け付けるステップと、記憶部に記憶された日時情報に記憶された日時情報と、設定された日時と、電源供給の再開から日時の設定の受け付けまでに経過した時間とに基づいて、電源供給が停止していた時間を計測するステップとを備える。
【００１１】
本開示のさらに他の局面に従うと、エネルギ生成要素と、当該エネルギ生成要素を制御するための制御装置とを備えるエネルギシステムが提供される。制御装置は、電源を供給されることによって実行される計時動作を基に日時情報を生成する制御部と、情報を記憶する記憶部と、情報の入力を受け付ける操作部とを含む。制御部は、所定のタイミングで、日時情報の少なくとも一部を記憶部に記憶し、電源供給が停止した後に当該電源供給が再開した場合に、計時動作を再開し、操作部における日時の設定を受け付け、記憶部に記憶された日時情報に記憶された日時情報と、設定された日時と、電源供給の再開から日時の設定の受け付けまでに経過した時間とに基づいて、電源供給が停止していた時間を計測するように構成されている。
【発明の効果】
【００１２】
本開示によれば、制御装置は、記憶部に記憶された日時情報等を用いて、電源供給が停止していた時間を算出するように構成されている。これにより、制御装置は、電源の供給が停止されていた時間を直接的に計測するための手段を備えることなく、電源の供給が停止された時間の長さに応じた処理を実行できる。
【図面の簡単な説明】
【００１３】
【図１】エネルギシステムの構成例を示すブロック図である。
【図２】コントローラの構成を示すブロック図である。
【図３】リモコンにおいて表示される画面の一例を示す図である。
【図４】リモコンにおいて表示される画面の他の例を示す図である。
【図５】リモコンにおいて表示される画面のさらに他の例を示す図である。
【図６】リモコンにおいて表示される画面のさらに他の例を示す図である。
【図７】コントローラの制御部が実行する処理の概要を説明するための図である。
【図８】コントローラの制御部が実行する処理の概要を説明するための図である。
【図９】コントローラの制御部が実行する処理の一例のフローチャートである。
【発明を実施するための形態】
【００１４】
以下に、本開示のエネルギシステムおよび制御装置の実施の形態について図面を参照して詳細に説明する。以下では、図中の同一または相当部分には同一符号を付してその説明は原則的には繰返さないものとする。
【００１５】
［１．エネルギシステムの概要］
図１は、本開示のエネルギシステムの構成例を示すブロック図である。図１に示されるように、エネルギシステム１００は、ユーザインタフェースのためのリモートコントール装置２００（以下、単に「リモコン２００」とも称する）を含む。エネルギシステム１００は、リモコン２００へのユーザ入力に応じて制御される。以下の説明で明らかになるように、図１に例示されたエネルギシステム１００は、コージェネレーションシステムとして構成されている。
【００１６】
エネルギシステム１００は、発電ユニット２０およびソーラ電池パネル２６を、発電要素（エネルギ生成要素）として含む。ソーラ電池パネル２６による発電電力は、パワーコンディショナ２７によって、系統電源と同等の交流電力に変換された後、分電盤２８に送られる。発電ユニット２０は、作動時には、系統電源と同等の交流電力を分電盤２８へ送出する。一例では、発電ユニット２０は、ガスを改質して水素を得る燃料電池および当該燃料電池による発電電力（直流電力）を上記交流電力に変換する電力変換器によって構成される。他の例では、発電ユニット２０は、ガスを燃料とするエンジン、当該エンジンの出力によって発電する発電機、および、発電機の出力電力を上記交流電力に変換する電力変換器によって構成することも可能である。
【００１７】
分電盤２８は、家屋内の各所に配置された電気負荷２５へ電力を分配する。電気負荷２５は、たとえば、冷蔵庫、空調機器、調理器具、照明器具等の電気機器類を含む。電気負荷２５による使用電力は、電力計２９ｄによって計測することができる。
【００１８】
発電ユニット２０およびパワーコンディショナ２７から分電盤２８へ出力された発電電力よりも、分電盤２８から電気負荷へ供給される使用電力が大きい場合には、不足分の電力が系統電源より買電される。反対に、発電電力が消費電力よりも大きい場合には、太陽光発電による発電電力のうち、余剰分の電力が系統電源へ売電される。売電電力および買電電力は、電力量計２９ａを用いて計測することができる。
【００１９】
図示は省略しているが、発電ユニット２０およびパワーコンディショナ２７の各々には、出力制御のために実際の発電電力を検出するためのセンサ類が配置されている。すなわち、電力量計２９ａおよび電力計２９ｄの出力によらず、発電ユニット２０およびパワーコンディショナ２７の発電電力を検出することも可能である。
【００２０】
電力量計２９ａを用いて検知された売電電力または買電電力と、発電ユニット２０およびパワーコンディショナ２７からの情報によって検知された発電電力との差から、電気負荷２５による使用電力を求めることも可能である。この場合には、電力計２９ｄの配置は省略可能である。
【００２１】
エネルギシステム１００は、さらに、熱交換器を有する加熱装置２１と、貯湯タンク２２と、補助熱源機２３と、コントローラ２４とを備える。
【００２２】
加熱装置２１は、発電ユニット２０からの排熱を利用した熱交換によって、入水を加熱することによって温水を生成する。加熱装置２１で生成された温水は貯湯タンク２２に貯留される。補助熱源機２３は、たとえば、ガス燃焼方式の熱源機によって構成される。貯湯タンク２２に貯留された温水は、補助熱源機２３によって加熱され、または加熱されることなく所定温度に調整されて、一般給湯用に用いられる。
【００２３】
エネルギシステム１００への入水量は、水量計２９ｃによって計測される。また、発電ユニット２０および補助熱源機２３における燃料ガスの使用量は、ガス流量計２９ｂによって計測される。
【００２４】
エネルギシステム１００の各部の動作は、リモコン２００へのユーザ指示（運転オン／オフ、温度設定、時刻設定等）に従ってエネルギシステム１００が動作するように、コントローラ２４によって制御される。コントローラ２４は、代表的には、マイクロコンピュータによって構成される。
【００２５】
電力量計２９ａ、ガス流量計２９ｂ、水量計２９ｃ、および、電力計２９ｄによる計測値は、コントローラ２４に送信される。さらに、コントローラ２４は、発電ユニット２０およびソーラ電池パネル２６のそれぞれによる発電電力を、発電ユニット２０およびパワーコンディショナ２７から受信するように構成されてもよい。
【００２６】
補助熱源機２３がガス燃焼方式の熱源機として実現された場合、そのガス使用量をガス流量計２９ｂで計測することは可能であるが、必ずしもこれに限定されず、たとえば湯水加熱に要した熱量および／または燃料ガスの発熱量に基づいて演算する手法を用いることも可能である。
【００２７】
このように、コントローラ２４は、電力量計２９ａ、ガス流量計２９ｂ、水量計２９ｃおよび、電力計２９ｄによる計測値に基づいて、上述の「エネルギ処理状況に関するデータ」を取得することができる。
【００２８】
リモコン２００は、たとえば台所および／または浴室の壁面に固定されて使用される壁掛け方式のものであり、樹脂製の筐体（図示せず）に記憶されて構成される。すなわち、リモコン２００は複数個配置されてもよい。リモコン２００は、コントローラ２４によって制御され得る。
【００２９】
リモコン２００は、制御部２１０と、スピーカ２１３と、マイク２１４と、通信部２２０と、操作部２３０と、表示部３００とを含む。
【００３０】
制御部２１０は、代表的にはマイクロコンピュータによって構成されて、リモコン２００の各部の動作制御およびデータ処理を実行する。通信部２２０は、エネルギシステム１００のコントローラ２４（後述する通信部５１）とデータ通信を実行するように構成される。
【００３１】
表示部３００は、ユーザが視認できる態様で情報およびデータを表示するために、液晶パネルあるいは有機ＥＬパネルなどを用いて構成される。後述するように、表示部３００は、所定部位におけるユーザの押圧動作を認識可能に構成できるタッチパネルによって構成される。表示部３００における表示内容は、制御部２１０によって制御される。
【００３２】
操作部２３０は、ユーザ指示を入力するための操作スイッチ（図示せず）を含んで構成される。操作部２３０は、上記タッチパネル上に操作ボタンの態様で表示された所定領域（以下、「操作部表示領域」とも称する）を含む。
【００３３】
スピーカ２１３は、制御部２１０から指令された音声データおよび／または音楽データを出力する。これにより、ユーザが聴認される情報を出力できる。マイク２１４およびスピーカ２１３を用いて、複数のリモコン２００間でユーザ同士の会話が可能となり得る。
【００３４】
エネルギシステム１００のコントローラ２４は、図２等を参照して後述するように、現在日時などを検知するためのカレンダ・クロックをさらに含む。
【００３５】
制御部２１０は、表示部３００を利用したデータ表示を制御することができる。これにより、タッチパネルを含む操作部２３０のスイッチ操作などに基づいて、所定期間におけるエネルギ消費量および／または発電量などの「エネルギ処理状況に関するデータ」を表示部３００に表示することができる。エネルギ処理の内容を示すデータ項目、およびエネルギ処理の期間の少なくとも一方が互いに異なる、複数の「エネルギ処理状況に関するデータ」の中から、ユーザによって、表示対象となる「エネルギ処理状況に関するデータ」が選択される。以下では、表示対象となる「エネルギ処理状況に関するデータ」を、単に、「表示対象データ」とも称する。すなわち、エネルギ表示装置は、ユーザによって選択された表示対象データの表示を行なうものである。
【００３６】
制御部２１０は、上記データ表示に必要となる、電力などのエネルギの量を料金に換算するためのデータおよび過去のエネルギ消費量のデータなどの種々のデータを記憶している。これらのデータは、コントローラ２４から通信によって取得することができる。あるいは、制御部２１０は、コントローラ２４を介さずに、電力量計２９ａ、ガス流量計２９ｂ、水量計２９ｃおよび電力計２９ｄとの直接の通信によって、これらのデータを取得することも可能である。
【００３７】
これらのデータはエネルギシステム１００のコントローラ２４に記憶されていてもよい。この場合には、データ表示のための制御部２１０からの要求に応じて、コントローラ２４から制御部２１０へ通信部２２０を経由しでデータが送信される。
【００３８】
［２．コントローラの構成］
次に、コントローラ２４の構成を説明する。図２は、コントローラ２４の構成を示すブロック図である。図２に示されるように、コントローラ２４は、制御部５０と、クロック発振回路５２と、不揮発性メモリ５４と、通信部５１とを含む。制御部５０は、たとえばマイコンによって実現される。通信部５１は、リモコン２００の通信部２２０とデータ通信を実行するように構成される。
【００３９】
エネルギシステム１００において、コントローラ２４は、制御装置の一例である。制御部５０は、制御部の一例である。
【００４０】
制御部５０は、クロック発振器を含む。当該クロック発振器は、クロック発振回路５２からクロック信号を受けることによって、カレンダ・クロックとして動作する。制御部５０は、カレンダ・クロックによって生成された日時情報に基づいて、たとえば１日ごとに、不揮発性メモリ５４に所与のデータ（たとえば、日時情報によって特定される日付）を記憶する。
【００４１】
コントローラ２４およびリモコン２００は、たとえば商用電源によって動作する。コントローラ２４では、不揮発性メモリ５４に１日ごとに上記の所与のデータが記憶されることにより、不揮発性メモリ５４に記憶されている最新のデータが記憶された日は、コントローラ２４への電源供給が停止されたときに、コントローラ２４への電源供給がされた最後の日または当該最後の日の前日を示す。
【００４２】
本実施の形態のエネルギシステム１００では、上記のように、クロック信号および日時情報の双方がコントローラ２４で生成される。ただし、本開示のエネルギシステム１００では、クロック信号および日時情報の一方または双方が、リモコン２００で生成されてもよい。
【００４３】
また、コントローラ２４および／またはリモコン２００は、商用電源によって動作する代わりに、エネルギシステム１００において発電された電力によって動作するように構成されていてもよい。
【００４４】
［３．リモコンにおける表示画面の一例］
図３〜図６は、リモコン２００において表示される画面の一例を示す図である。図３に示されるように、画面９００は、貯湯タンク２２の中の温水に対する設定温度（図３中の「４０℃」）等を表示する。
【００４５】
画面９００は、さらに、メニューボタン９０１および時刻表示部９０２を表示する。リモコン２００の制御部（図１中の制御部２１０）は、コントローラ２４から、当該コントローラ２４において生成される日時情報を取得する。制御部２１０は、さらに、時刻表示部９０２に、当該日時情報に基づいて特定される現在の日付および時刻（図３の例では、２０１６年３月３１日の午後８時００分）を表示する。
【００４６】
メニューボタン９０１が操作されると、制御部２１０は、表示部３００に、種々のメニューを表示される。表示されるメニューは、「日時合わせ」を含む。日時合わせのメニューが選択されると、制御部２１０は、表示部３００に、たとえば図４の画面９１０を表示する。
【００４７】
図４の画面９１０は、ユーザーに日時の設定を促すためのメッセージ（「日時を合わせてください」）、日時の設定を入力することに同意するときに操作されるボタン（はいボタン９０３）、および、日時の設定を入力することに同意しないときに操作されるボタン（いいえボタン９０４）を表示する。画面９１０の時刻表示部９０２は、現在の日時を表示する代わりに、日時等が特定できないことを示す情報を点滅表示する。
【００４８】
制御部２１０は、たとえば、コントローラ２４から日時情報を取得できない場合に、図４に示されたような態様で時刻表示部９０２を表示する。制御部２１０は、コントローラ２４およびリモコン２００への電源供給が停止された後、当該電源供給が再開されたときに、表示部３００に図５の画面９１０を表示してもよい。制御部２１０は、画面９１０において「はいボタン９０３」を操作されると、表示部３００に、たとえば図５の画面９２０を表示する。
【００４９】
図５の画面９２０は、日付と時刻を入力するための画面の一例である。画面９２０は、年を設定するためのボタン９０６，９０７、および、画面９２０に対して設定された日付および時刻を確定させるための決定ボタン９０５を含む。制御部２１０は、画面９２０に対して設定された日付および時刻が確定されると、当該日付および時刻をコントローラ２４へ送信する。
【００５０】
図６の画面９３０は、暗証番号の入力を受け付けるための画面の一例である。より具体的には、画面９３０は、その中央に、４ケタの暗証番号を表わす情報を表示し、さらに、暗証番号の入力ために利用される１０個の数字からなる数字キー９０８を表示する。画面９３０が入力を受け付ける情報は、数値に限定されない。暗証番号は、パスワードの一例である。
【００５１】
コントローラ２４は、コントローラ２４およびリモコン２００への商用電源からの電源供給が停止した後、当該電源供給が再開されると、リモコン２００に日付および時刻の設定を要求する画面（たとえば、図４の画面９１０）を表示させる。コントローラ２４は、日付および時刻が設定されると、商用電源からの電源供給が停止されていた期間が一定期間（たとえば、１日）を超えているか否かを判断する。商用電源からの電源供給が停止されていた期間が上記一定期間を超えていると判断すると、コントローラ２４は、リモコン２００に、暗証番号の入力を要求させる。適切な暗証番号が入力されたと判断すると、コントローラ２４は、リモコン２００によるエネルギシステム１００の制御を再開する。
【００５２】
［４．処理の概要］
図７および図８は、コントローラ２４の制御部５０が、コントローラ２４（およびリモコン２００）への電源供給が停止された後、当該電源供給が再開されたときに実行する処理の概要を説明するための図である。
【００５３】
図７において、時刻Ｔ１は、コントローラ２４およびリモコン２００への電源供給が開始された時刻を表わす。時刻Ｔ２は、コントローラ２４およびリモコン２００への電源供給が停止された時刻を表わす。時刻Ｔ３は、コントローラ２４およびリモコン２００への電源供給が再開された時刻を表わす。時刻Ｔ４は、コントローラ２４およびリモコン２００に対して、現在時刻が設定された時刻を表わす。
【００５４】
図７に示されるように、本実施の形態において、制御部５０は、時刻Ｔ１から時刻Ｔ２まで、日時情報を生成する。日時情報の一例は、現在時刻である。制御部５０は、時刻Ｔ１から時刻Ｔ２の中の所定のタイミングで、不揮発性メモリ５４に、日時情報の少なくとも一部を記憶する。制御部５０は、たとえば、日付が変わるときに、不揮発性メモリ５４に、変わる前の日付（たとえば、２０１６年３月３１日から同年４月１日へと日付が変わるときの、２０１６年３月３１日）を記憶する。所定のタイミングは、これに限定されない。制御部５０は、たとえば、一日の中の別の時刻（たとえば、午前３時等の負荷が比較的小さいことが想定される時刻）に、当日の日付を不揮発性メモリ５４に記憶してもよい。
【００５５】
不揮発性メモリ５４は、たとえばＥＥＰＲＯＭ（Electrically  Erasable  Programmable  Read-Only  Memory）によって実現される。不揮発性メモリ５４に新たな日時情報が記憶されることは、不揮発性メモリ５４に記憶される情報が書き換えられることを意味する。ＥＥＰＲＯＭの書き換え可能な回数は、予め定められている。本実施の形態において、不揮発性メモリ５４がＥＥＰＲＯＭによって実現された場合、不揮発性メモリ５４における日時情報の書き換えの回数がより少なくなる（たとえば、１日１回）ことにより、不揮発性メモリ５４の寿命をより長くすることができる。
【００５６】
なお、エネルギシステム１００において、予め定められたタイミングで日時情報を記憶するものが不揮発性メモリである必要はない。日時情報が、予め定められたタイミングで揮発性メモリに記憶され、当該揮発性メモリに外部から電源が供給されるように、エネルギシステム１００は構成されていてもよい。
【００５７】
時刻Ｔ２に電源の供給が停止することにより、制御部５０は、日時情報の生成を停止する。時刻Ｔ３に電源の供給が再開すると、制御部５０は、クロック発振回路５２からのクロック信号を利用して、電源の供給の再開からの経過時間を計測する。
【００５８】
時刻Ｔ４で、制御部５０は、リモコン２００から、日時の設定の入力を受け付ける。日時の設定を受け付けると、制御部５０は、設定された日時と、不揮発性メモリ５４に記憶されている日時情報と、時刻Ｔ３からの経過時間とを用いて、電源供給が停止されていた期間（図７中の時刻Ｔ２から時刻Ｔ３までの時間）の推定値を算出する。当該推定値の算出には、たとえば、以下の式（１）が利用される。
【００５９】
推定値＝（［設定日］−［停電日］＋１）×２４（ｈ）−経過時間（ｈ）…（１）
式（１）において、［設定日］は、設定された日時における日付を表わす。［停電日］は、電源の供給が停止する前に不揮発性メモリ５４に記憶されていた最新の日時情報によって特定される日付を表わす。［経過時間］は、電源の供給が再開されてから日時の設定を受け付けるまでの時間（図７の時刻Ｔ３から時刻Ｔ４）を表わす。
【００６０】
一例では、図８に示されるように、２０１６年の３月３１日の午後５時（１７：００）に制御部５０への電源の供給が停止し、同年４月８日の午後１時（１３：００）に電源の供給が再開され、さらに、同年４月８日の午後８時（２０：００）にリモコン２００から日時の設定が入力された。
【００６１】
この場合、式（１）における「［設定日］−［停電日］＋１」は、９（日）と算出される。「経過時間」は、２０１６年４月８日の午後１時から午後８時までの期間、つまり、７（ｈ）である。したがって、推定値は、以下の式（２）に従って、２０９時間と算出される。
【００６２】
推定値＝９×２４（ｈ）−７（ｈ）＝２０９（ｈ）  …（２）
制御部５０は、上記のように電源の供給が停止されていた期間の長さの推定値を算出すると、当該推定値が予め定められた期間以上であるかどうかを判断する。制御部５０は、当該推定値が予め定められた期間以上であるときには、予め定められた処理を実行する。より具体的には、制御部５０は、当該推定値が「１日」以上である場合には、ユーザに、暗証番号の入力を促す。その後、制御部５０は、予め定められた暗証番号が入力されたことを条件として、リモコン２００に入力された指示に従った制御を実行する。
【００６３】
［５．処理の流れ］
図９は、コントローラ２４（およびリモコン２００）への電源供給が停止された後、当該電源供給が再開されたときに、制御部５０が実行する処理の一例のフローチャートである。
【００６４】
図９に示されるように、電源の供給が再開されると、ステップＳ１０で、制御部５０は、時間の計測を開始する。その後、制御はステップＳ２０へ進む。
【００６５】
ステップＳ２０で、制御部５０は、リモコン２００の表示部３００に、日時合わせの画面を表示させる。日時合わせの画面の一例は、図４の画面９１０である。その後、制御はステップＳ３０へ進む。
【００６６】
ステップＳ３０で、制御部５０は、リモコン２００において日時が入力されたか否かを判断する。制御部５０は、たとえば、リモコン２００から、図５に示されたような画面に対する日時の入力を受け付ける。制御部５０は、日時が入力されるまでステップＳ３０の制御に留まり（ステップＳ３０でＮＯ）、日時が入力されたと判断すると（ステップＳ３０でＹＥＳ）、ステップＳ４０へ制御を進める。
【００６７】
ステップＳ４０で、制御部５０は、ステップＳ１０で開始した時間の計測を停止する。その後、制御はステップＳ５０へ進む。
【００６８】
ステップＳ５０で、制御部５０は、式（１）等を用いて説明されたような、電源の供給が停止されていた時間の長さについての「推定値」を算出する。その後、制御はステップＳ６０へ進む。
【００６９】
ステップＳ６０で、制御部５０は、上記「推定値」について、予め定められた条件が成立しているかどうかを判断する。予め定められた条件の一例は、上記「推定値」が「１日」以上であることである。制御部５０は、上記条件が成立したと判断すると（ステップＳ６０でＹＥＳ）、リモコン２００の表示部３００に暗証番号の入力を求める画面（たとえば、図６の画面９３０）を表示する。これにより、制御部５０は、正しい暗証番号の入力を条件として、リモコン２００に対する指示入力を受け付ける。一方、制御部５０は、上記条件が成立していないと判断すると（ステップＳ６０でＮＯ）、リモコン２００の表示部３００に通常の画面（たとえば、図３の画面９００）を表示する。これにより、制御部５０は、暗証番号の入力を条件とすることなく、リモコン２００に対する指示入力を受け付ける。
【００７０】
以上説明された実施の形態では、コントローラ２４は、１日以上、当該コントローラ２４（およびリモコン２００）への電源の供給が停止したか否かを、リアルタイムクロック等の要素を備えることなく判断する。これにより、コントローラ２４は、リアルタイムクロック等の要素を備えることなく、電源供給の停止時間の長さに応じた処理を実行する。たとえば、エネルギシステム１００の利用者が変更された場合、１日以上、コントローラ２４への電源供給が停止され得る。コントローラ２４は、このような場合に、変更後の利用者に対して、パスワードの入力を条件として、エネルギシステム１００への指示をリモコン２００に入力することを許可し得る。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
２０  発電ユニット、２４  コントローラ、２７  パワーコンディショナ、５０，２１０  制御部、５１，２２０  通信部、５２  クロック発振回路、５４  不揮発性メモリ、１００  エネルギシステム、２００  リモコン、９００，９１０，９２０，９３０  画面。
【図１】
2017180947.tif 000003
【図２】
2017180947.tif 000004
【図３】
2017180947.tif 000005
【図４】
2017180947.tif 000006
【図５】
2017180947.tif 000007
【図６】
2017180947.tif 000008
【図７】
2017180947.tif 000009
【図８】
2017180947.tif 000010
【図９】
2017180947.tif 000011